(57)【要約】      （修正有）【課題】設置が簡単で、且つ、耐風性が優れたテントの構造を提供する。【解決手段】１対の帯状のテープ７、８を金属製で円環状のリング９により連結して成る連結ベルト１０を、布体３のうちで、壁面を覆う部分の隅部の中間部に取り付け、連結ベルト１０の先半側のテープ８をポール４に巻き付け、当該テープ８の先端部をリング９の内側に挿通し、先半側のテープ８の先端部に、ガイロープ１１の一端部を結び付け、このテープ８の先端部を下方に向け引っ張った状態で、ガイロープ１１の他端部を地面にペグで支持固定する。【選択図】図２
2015055052.tif 000002
【特許請求の範囲】
【請求項１】
複数本の支柱を組み合わせて成るフレーム構造と、
前記各支柱に対して、当該各支柱の上下方向に関し少なくとも２箇所ずつに支持される事で、前記フレーム構造の内側に設置可能である布体と、
前記布体の表面のうち、上下方向に関する中間部に取り付けられ、長さ方向中間部に環状部を有する紐状若しくは帯状の連結部材と、
を備え、
使用時に、当該連結部材の先半部を前記支柱に巻き付け、当該連結部材の先端部を前記環状部の内側を挿通した状態で、該先端部を下方に向け引っ張る事が可能に構成されている事を特徴とするテント。
【請求項２】
前記連結部材の先端部にはガイロープを連結可能な構造が備えられ、使用時に、前記連結部材の先端部にガイロープの一端を連結し、当該ガイロープの他端をペグで地面に固定する事が可能である、請求項１に記載のテント。
【請求項３】
前記環状部がリングにより構成され、前記連結部材が、１対の紐状若しくは帯状の部材を、該リングにより連結して成るものである、請求項１に記載のテント。
【発明の詳細な説明】
【技術分野】
【０００１】
本発明は、テント、特に、その耐風力を強化する補強構造に関する。
【背景技術】
【０００２】
従来、キャンプサイト（野外）に設営するテントは、複数本の支柱（ポール）を組み合わせて成るフレーム構造の内側に、布体を張る事で構成される。この布体は、例えば外側のフライと内側のインナーとの二重構造になっており、インナー又はフライとポールとは、面ファスナー或いはフックや、インナー又はフライにベルトをループ状にして取り付け、内側にポールを挿通する事でこのポールに対し支持される。フライは、雨や日光にさらされる為、耐久性の良い生地を使用し、インナーは、湿気を外に逃がせる様に、通気性の良い生地を使用している。即ち、それぞれ異なる特性を持つ生地を使用し、インナーとフライとの間に空間を生じさせる二重構造を採用する事により、外気温の影響が直接テントの中に及ぶ事を防いで、内部の温度の調整が容易となり、結露の発生が防止される。但し、テントには、フライを持たず、防水透湿性素材等の機能性素材を採用したインナーのみを備える一重構造のテントや、スクリーンタープの様に、フライだけを備えるものも存在する。
【０００３】
尚、本明細書及び特許請求の範囲で言う「テント」には、日除けや雨除けの為のタープやシェードが含まれる。
【０００４】
テントは、例えば特開２００２−２４２４８７号公報に記載されている様に、布体のうちで壁面を覆う部分の隅部下端に取り付けられた、環状のベルトや、内側にポールを挿通したベルトに取り付けられたリング等を、ペグ等により地面に固定する事で設置される。この様なテントは、強風によりポールに上半部乃至中間部に大きな力が加わると、このポールが接地点（下端部）を中心に傾いて倒れる可能性がある。
【０００５】
上述の様な問題を解決する為に、布体のうち、壁面乃至天井部を覆う部分にガイロープを取り付け、このガイロープの先端を地面にペグ等により固定する事で、テントの耐風性を確保する構造が知られている。即ち、風を受けポールが倒れる傾向になった場合には、当該ポールは、このポールに面ファスナー等により支持された布体等を介して前記ガイロープにより引っ張られて、支承される。但し、この様な構造の場合、風向きによっては前記ガイロープが引っ張られた状態とならない。この為、風の強さや風向き等によりポールが撓んで、フレーム構造、延いてはテント全体の形状が変形し、一部のポールに負荷が集中して当該ポールが倒れる可能性がある。この様な問題は、特に大型で、風を受ける面積が広いテントで顕著になる。
【０００６】
特開２００７−０７０８０８号公報には、布体のうちで壁面を覆う部分の隅部の上下方向中間部に１対の耳部を設け、耳部を互いに反対方向にポールに巻き付け、当該耳部のそれぞれの先端に取り付けられたガイロープの先端を地面にペグにより固定する事で、テントの耐風性を確保する構造が記載されている。この様な構造の場合、フレーム構造を構成するポールが、接地点（下端部）と上下方向中間部との２箇所で地面に対し支持され、且つ、ガイロープが２方向に張られている為、風向きの影響も受け難く、テント全体の形状も変形し難くなって、耐風性を向上させることができる。但し、特開２００７−０７０８０８号公報に記載の構造の場合には、ポール毎に２本のペグ打ちが必要となり、テントの設置が面倒である。
【先行技術文献】
【特許文献】
【０００７】
【特許文献１】特開２００２−２４２４８７号公報
【特許文献２】特開２００７−０７０８０８号公報
【発明の概要】
【発明が解決しようとする課題】
【０００８】
本発明は、上述の様な事情に鑑み、設置が簡単で、且つ、耐風性に優れたテントの構造を提供する事を目的としている。
【課題を解決するための手段】
【０００９】
本発明のテントは、フレーム構造と、布体とから構成される。このうちのフレーム構造は、複数本の支柱を組み合わせる事により構成されている。又、前記布体は、使用時に、前記各支柱に対してこれら各支柱の上下方向に関し少なくとも２箇所ずつに支持される事で、前記フレーム構造の内側に設置可能である。
【００１０】
又、長さ方向中間部に環状部を有する紐状若しくは帯状の連結部材が、前記布体の表面のうち、上下方向に関する中間部に取り付けられている。該連結部材は、使用時に、当該連結部材の先半部を前記支柱に巻き付け、当該連結部材の先端部を前記環状部の内側を挿通した状態で、該先端部を下方に向け引っ張る事が可能に構成されている。
【００１１】
前記連結部材の先端部にはガイロープを連結可能な構造が備えられ、使用時に、前記連結部材の先端部にガイロープの一端を連結し、当該ガイロープの他端をペグで地面に固定する事が可能と成る事が好ましい。
【００１２】
又、前記環状部がリングにより構成され、前記連結部材が、１対の紐状若しくは帯状の部材を、該リングにより連結して成るものである事が好ましい。
【発明の効果】
【００１３】
上述の様に構成する本発明のテントによれば、設置が簡単で、且つ、耐風性が優れたテントの構造が実現される。即ち、フレーム構造を構成する各支柱が、上下方向に関して接地点である下端部と中間部との２箇所で地面に対し支持されている。又、本発明の場合、連結部材の先半部を支柱に巻き付け、この連結部材の先端部を当該連結部材の中間部に設けた環状部に挿通した状態で、この先端部を下方に向け引っ張っている。この為、前記連結部材により前記支柱を強く締め付ける事ができて、布体と各支柱との間の距離が変化せず、布体の中間部が、前記支柱に対しばたつくのを抑える事ができる。従って、風の強さや風向きに拘わらず、前記フレーム構造、延いてはテント全体の形状を変形し難くできて、耐風性を向上させる事ができる。又、本発明の場合、前記２箇所の地面に対する支持部のうち、中間部に設けた支持部に関して、前記支柱を１本の連結部材で地面に対し支持している為、テントの設置を簡単に行える。更に、布体の中間部と各支柱とをその間の距離を変化させない構造を、紐状若しくは帯状の部材をポールの周りに固く結び付ける事なく、連結部材の先端部を前記環状部に挿通し、この先端部を下方に向けて引っ張るだけで達成する事が可能であり、この点でもテントの設置がより簡便となる。
【図面の簡単な説明】
【００１４】
【図１】図１は、本発明の実施の形態の第１例を示す、テントの斜視図である。
【図２】図２（Ａ）及び図２（Ｂ）は、図１のＸ部拡大図であり、その連結部材を詳細に示す。
【発明を実施するための形態】
【００１５】
［実施の形態の１例］
図１〜図２は、本発明の実施の形態の１例を示している。本例のテント１は、フレーム構造２と布体３とから構成される。このうちのフレーム構造２は、設置面の四隅に４本のポール４をそれぞれの上下方向に配置し、これらのポール４の上半部を互いに近づく方向に（中央に向かって）湾曲させ、ポール４の上端部同士を連結具５により連結して成る。但し、フレーム構造２としては、上述の様な構造に限らず、各種構造を採用する事ができる。例えば上下方向に配置したポール同士の間に、別のポールを梁状に掛け渡す事で構成しても良い。何れにしても、ポール４の下端部を地面に突き当て乃至突き刺す事で、当該ポール４は地面に対して支持される。
【００１６】
又、布体３は、この布体３のうちで壁面を覆う部分の隅部の下端部及び上端寄り部分に設けた支持部６により、４本のポール４の下端部及び上端寄り部分の２箇所ずつに支持される事で、フレーム構造２の内側に設置される。この様な支持部６として、例えば面ファスナーやフックを用いる事ができる。或いは、支持部６は、ベルトをループ状にし、内側にポール４を挿通する事で、ポール４に対して支持する構造としても良い。更に、必要に応じて、下側の支持部６にリングを取り付け、当該リングをペグにより地面に支持固定する様に構成しても良い。
【００１７】
又、本例の場合、１対の帯状のテープ７、８を金属製で円環状のリング９により連結して成る連結ベルト１０が、布体３のうちで壁面を覆う部分の隅部の中間部に取り付けられている。そして、連結ベルト１０の先半側のテープ８をポール４に巻き付け、当該テープ８の先端部をリング９の内側に挿通している。この状態で、当該テープ８の先端部を下方又は外方に引っ張ると、当該テープ８の先端部は、リング９の内側から抜け出難く成り、当該テープ８がポール４にしっかりと巻き付けられる。この先半側のテープ８の先端部には、ガイロープ１１の一端部が結び付け可能と成っており、当該テープ８の先端部に結合されたガイロープにより、当該テープ８の先端部を下方に向け引っ張った状態で、ガイロープ１１の他端部は地面にペグ１２で支持固定される。
【００１８】
上述の様な本例のテント１によれば、設置が簡単で、且つ、耐風性が優れた構造を実現できる。即ち、フレーム構造２を構成する各ポール４が、接地点である下端部と中間部との２箇所で地面に対し支持されている。又、本例の場合、布体３に取り付けられた連結ベルト１０の先半部（テープ８）をポール４に巻き付け、この連結ベルト１０（テープ８）の先端部を当該連結ベルト１０の中間部に設けたリング９に挿通した状態で、この先端部をガイロープ１１により引っ張り、当該ガイロープ１１を地面にペグ１２で支持固定している。この為、布体３とポール４との間の距離は、連結ベルト１０の基半部（テープ７とリング９）の長さにより一定に規制され、布体３が、ポール４に対しばたつくのを抑える事ができる。即ち、布体に取り付けた帯状の連結部材を単にポールに巻き付けただけで、その先端部をガイロープで引っ張り、このガイロープをペグで地面に支持固定する構造とした場合には、ポールに巻き付けた連結部材が緩んで、布体とポールとの間の距離が変動し、布体がばたつく可能性がある。これに対し、本例の場合、連結ベルト１０の先半部をポール４に巻き付けた上で、この連結ベルト１０の先端部をリング９に挿通している為、当該連結ベルト１０によりポール４を強く締め付ける事ができて、布体３の中間部が、ポール４に対しばたつく事を抑えられる。この為、風の強さや風向きに拘わらず、フレーム構造２、延いてはテント１全体の形状を変形し難くできて、耐風性を向上できる。
【００１９】
又、本例の場合、ポール４の中間部を、連結ベルト１０を介して１本のガイロープ１１及びペグ１２で地面に対し支持している。従って、前述した特開２００７−０７０８０８号公報に記載された構造の様に、ポールに巻き付けた１対の耳部のそれぞれの先端に取り付けられたガイロープの先端を、ペグで地面に対し支持する場合と比較して、ペグの本数が少なくて済む為、テントの設置を簡単に行える。
【符号の説明】
【００２０】
１    テント
２    フレーム構造
３    布体
４    ポール
５    連結金具
６    支持部
７    テープ
８    テープ
９    リング
１０    連結ベルト
１１    ガイロープ
１２    ペグ
【図１】
2015055052.tif 000003
【図２】
2015055052.tif 000004